(57)【要約】本開示は、ディスプレイ技術の分野に関するものであり、フレキシブルディスプレイパネルおよびディスプレイデバイスを開示する。フレキシブルディスプレイパネルは、フレキシブル基板および非ディスプレイ領域を含み、前記フレキシブル基板は、ディスプレイ領域と前記ディスプレイ領域を取り囲むフレキシブル基板を有し、前記ディスプレイパネルは、非ディスプレイ領域内に設けられた、前記ディスプレイ領域を取り囲むように構成された少少なくとも１つのバリア壁と、前記ディスプレイ領域内に設けられた発光構造と、前記発光構造と前記バリア壁を覆うパッケージングフィルムとをさらに含み、前記フレキシブルディスプレイパネルは、曲げ領域および非曲げ領域を有し、前記曲げ領域内の前記バリア壁の部分の厚さは、前記非曲げ領域内の前記バリア壁の部分の厚さと等しくない。曲げ領域におけるバリア壁の厚さおよび非曲げ領域におけるバリア壁の厚さは等しくないように設定されるので、厚さの差は、曲げ領域におけるバリア壁への応力を低減することができる。したがって、パッケージングフィルムに亀裂が入る可能性を減らすことができる。
2021532529.tif 000002
【特許請求の範囲】
【請求項１】
フレキシブル基板と、非ディスプレイ領域とを含み、前記フレキシブル基板は、ディスプレイ領域と前記ディスプレイ領域を取り囲むフレキシブル基板を有し、前記ディスプレイパネルは、非ディスプレイ領域内に設けられた、前記ディスプレイ領域を取り囲むように構成された少少なくとも１つのバリア壁をさらに含み、
前記非ディスプレイ領域は、曲げ領域および非曲げ領域を含み、前記曲げ領域内の前記バリア壁の部分の厚さは、前記非曲げ領域内の前記バリア壁の部分の厚さと等しくない、ことを特徴とするフレキシブルディスプレイパネル。
【請求項２】
前記フレキシブルディスプレイパネルが、バリア壁から離れたフレキシブル基板の側に向かって曲げられ、前記曲げ領域内の前記バリア壁の部分の厚さは、前記非曲げ領域内の前記バリア壁の部分の厚さよりも薄い、または、
前記フレキシブルディスプレイパネルは、前記フレキシブル基板から離れたバリア壁の側面に向かって曲げられており、前記曲げ領域内の前記バリア壁の部分の厚さは、前記非曲げ領域内の前記バリア壁の部分の厚さよりも厚い、ことを特徴とする請求項１に記載のフレキシブルディスプレイパネル。
【請求項３】
同じ周内のバリア壁について、前記曲げ領域内の前記バリア壁の部分と前記フレキシブル基板エッジとの間の距離は、前記非曲げ領域内の前記バリア壁の部分と前記フレキシブル基板エッジとの間の距離よりも大きい、ことを特徴とする請求項２に記載のフレキシブルディスプレイパネル。
【請求項４】
前記曲げ領域内の前記バリア壁の部分の投影は弧形である、ことを特徴とする請求項３に記載のフレキシブルディスプレイパネル。
【請求項５】
２周の前記バリア壁を含み、２周の前記バリア壁の両方は、連続的な閉じたリング形状である、ことを特徴とする請求項１に記載のフレキシブルディスプレイパネル。
【請求項６】
２周の前記バリア壁を含み、少なくとも１周の前記バリア壁は、間隔を置いて配置された複数のサブバリア壁から構成される、ことを特徴とする請求項１に記載のフレキシブルディスプレイパネル。
【請求項７】
内周の前記バリア壁は、連続的な閉じたリング形状であり、外周の前記バリア壁は、間隔を置いて配置された複数のサブバリア壁から構成される、ことを特徴とする請求項６に記載のフレキシブルディスプレイパネル。
【請求項８】
外周の前記曲げ領域内の前記バリア壁の部分は、間隔を置いて配置された複数のサブバリア壁から構成される、ことを特徴とする請求項７に記載のフレキシブルディスプレイパネル。
【請求項９】
２周の前記バリア壁は、間隔を置いて配置された複数のサブバリア壁から構成される、ことを特徴とする請求項６に記載のフレキシブルディスプレイパネル。
【請求項１０】
２つの前記曲げ領域内の前記バリア壁の部分は、間隔を置いて配置された複数のサブバリア壁から構成される、ことを特徴とする請求項６に記載のフレキシブルディスプレイパネル。
【請求項１１】
外周の前記バリア壁は、連続的な閉じたリング形状であり、内周の前記バリア壁は、間隔を置いて配置された複数のサブバリア壁から構成される、ことを特徴とする請求項６に記載のフレキシブルディスプレイパネル。
【請求項１２】
内周の前記曲げ領域内の前記バリア壁の部分は、間隔を置いて配置された複数のサブバリア壁から構成される、ことを特徴とする請求項１１に記載のフレキシブルディスプレイパネル。
【請求項１３】
前記バリア壁の厚さは、０．５μｍ〜２μｍである、ことを特徴とする請求項１に記載のフレキシブルディスプレイパネル。
【請求項１４】
前記バリア壁は、１０μｍから９０μｍの幅を有する、ことを特徴とする請求項１に記載のフレキシブルディスプレイパネル。
【請求項１５】
複数周の前記バリア壁を含み、少なくとも１周の前記バリア壁は、間隔を置いて配置された複数のサブバリア壁から構成され、前記サブバリア壁間のギャップは、少なくとも１周の前記バリア壁の連続体に対応する、ことを特徴とする請求項１に記載のフレキシブルディスプレイパネル。
【請求項１６】
前記フレキシブル基板から離れたバリア壁の側にカパッケージングフィルムをさらに含み、前記パッケージングフィルムは、交互に積み重ねられる少なくとも１つの有機層および少なくとも１つの無機層を含み、
前記少なくとも１つの有機層は、前記ディスプレイ領域を覆い、前記少なくとも１つの無機層は、前記ディスプレイ領域和前記バリア壁を覆う、ことを特徴とする請求項１に記載のフレキシブルディスプレイパネル。
【請求項１７】
前記曲げ領域内の前記無機層部分と前記フレキシブル基板エッジとの間の距離は、前記非曲げ領域内の前記無機層部分と前記フレキシブル基板エッジとの間の距離よりも大きい、ことを特徴とする請求項１６に記載のフレキシブルディスプレイパネル。
【請求項１８】
請求項１から請求項１７のいずれかに記載のフレキシブルディスプレイパネルを含むことを特徴とするディスプレイ装置。
【発明の詳細な説明】
【技術分野】
【０００１】
本発明は、通信技術分野に関し、特にフレキシブルディスプレイパネルおよびディスプレイ装置に関する。
【背景技術】
【０００２】
［関連出願の相互参照］
本出願は、２０１８年７月２７日に中国特許局に提出し、出願番号が２０１８１０８４７１１４．８であり、発明名称が「フレキシブルディスプレイパネルおよびディスプレイ装置」との中国特許出願を基礎とする優先権を主張し、その開示の総てをここに取り込む。
【０００３】
現在、ＯＬＥＤ（Ｏｒｇａｎｉｃ Ｌｉｇｈｔ−Ｅｍｉｔｔｉｎｇ Ｄｉｏｄｅ，有機電気発光）デバイスは、最も有望なフラットパネルディスプレイデバイスであると考えられており、フレキシブルディスプレイデバイスにされる可能性が最も高いディスプレイ技術であると考えられている。
【０００４】
既存のフレキシブルディスプレイパネルには、一般に、フレキシブル基板、前記フレキシブル基板の非ディスプレイ領域に配置されたバリア壁、フレキシブル基板のディスプレイ領域に配置された発光構造、および発光構造とバリア壁を覆うパッケージングフィルムが含まれる。パッケージングフィルムは通常、有機層と無機多層を積み重ねて形成され、無機層は水と酸素を遮断する機能を実現し、有機層は平坦化の機能を実現し、バリア壁は主に有機層の遮断層として使用される。
【０００５】
ただし、既存のフレキシブルディスプレイパネルの曲げ領域では、応力により、パッケージフィルムのエッジに亀裂が発生しやすくなる。亀裂がディスプレイ領域に広がると、水と酸素が亀裂を通ってディスプレイ領域に入り、フレキシブルディスプレイパネルの寿命に影響を与える。
【発明の概要】
【発明が解決しようとする課題】
【０００６】
本開示の実施形態は、フレキシブルディスプレイパネルおよびディスプレイデバイスを提供し、これらは、パッケージングフィルムのエッジが従来技術において亀裂を生じやすいという問題を解決するために使用される。
【課題を解決するための手段】
【０００７】
本開示の実施形態によって提供されるフレキシブルディスプレイパネルは、フレキシブル基板と、非ディスプレイ領域とを含み、前記フレキシブル基板は、ディスプレイ領域と前記ディスプレイ領域を取り囲むフレキシブル基板を有し、前記ディスプレイパネルは、非ディスプレイ領域内に設けられた、前記ディスプレイ領域を取り囲むように構成された少少なくとも１つのバリア壁と、前記ディスプレイ領域内に設けられた発光構造と、前記発光構造と前記バリア壁を覆うパッケージングフィルムとをさらに含み、
または、前記フレキシブルディスプレイパネルには、曲げ領域と非曲げ領域があり、前記曲げ領域内の前記バリア壁の部分の厚さは、前記非曲げ領域内の前記バリア壁の部分の厚さと等しくない。
【０００８】
任意選択で、本開示の実施形態によって提供されるフレキシブルディスプレイパネルにおいて、前記フレキシブルディスプレイパネルが、前記パッケージングフィルムから離れて前記フレキシブル基板の側に向かって曲げられるとき、前記曲げ領域内の前記バリア壁の部分の厚さは、前記非曲げ領域内の前記バリア壁の部分の厚さよりも薄い、または、
前記フレキシブルディスプレイパネルが前記フレキシブル基板から離れた前記パッケージフィルムの側に曲げると、前記曲げ領域内の前記バリア壁の部分の厚さは、前記非曲げ領域内の前記バリア壁の部分の厚さよりも厚い。
【０００９】
任意選択で、本開示の実施形態によって提供されるフレキシブルディスプレイパネルにおいて、同じ周内のバリア壁について、前記曲げ領域内の前記バリア壁の部分と前記フレキシブル基板エッジとの間の距離は、前記非曲げ領域内の前記バリア壁の部分と前記フレキシブル基板エッジとの間の距離よりも大きい。
【００１０】
任意選択で、本開示の実施形態によって提供されるフレキシブルディスプレイパネルにおいて、前記曲げ領域内の前記バリア壁の部分は、弧状である。
【００１１】
任意選択で、本開示の実施形態によって提供されるフレキシブルディスプレイパネルにおいて、２周の前記バリア壁を含み、２周の前記バリア壁の両方は、連続的な閉じたリング形状である。
【００１２】
任意選択で、本開示の実施形態によって提供されるフレキシブルディスプレイパネルにおいて、２周の前記バリア壁を含み、少なくとも１周の前記バリア壁は、間隔を置いて配置された複数のサブバリア壁から構成される。
【００１３】
任意選択で、本開示の実施形態によって提供されるフレキシブルディスプレイパネルにおいて、内周の前記バリア壁は、連続的な閉じたリング形状であり、外周の前記バリア壁は、間隔を置いて配置された複数のサブバリア壁から構成される。
【００１４】
任意選択で、本開示の実施形態によって提供されるフレキシブルディスプレイパネルにおいて、外周の前記曲げ領域内の前記バリア壁の部分は、間隔を置いて配置された複数のサブバリア壁から構成される。
【００１５】
任意選択で、本開示の実施形態によって提供されるフレキシブルディスプレイパネルにおいて、２周の前記バリア壁は、間隔を置いて配置された複数のサブバリア壁から構成される。
【００１６】
任意選択で、本開示の実施形態によって提供されるフレキシブルディスプレイパネルにおいて、２つの前記曲げ領域内の前記バリア壁の部分は、間隔を置いて配置された複数のサブバリア壁から構成される。
【００１７】
任意選択で、本開示の実施形態によって提供されるフレキシブルディスプレイパネルにおいて、外周の前記バリア壁は、連続的な閉じたリング形状であり、内周の前記バリア壁は、間隔を置いて配置された複数のサブバリア壁から構成される。
【００１８】
任意選択で、本開示の実施形態によって提供されるフレキシブルディスプレイパネルにおいて、内周の前記曲げ領域内の前記バリア壁の部分は、間隔を置いて配置された複数のサブバリア壁から構成される。
【００１９】
任意選択で、本開示の実施形態によって提供されるフレキシブルディスプレイパネルにおいて、前記バリア壁の厚さは、０．５μｍ〜２μｍである。
任意選択で、本開示の実施形態によって提供されるフレキシブルディスプレイパネルにおいて、前記バリア壁は、１０μｍから９０μｍの幅を有する。
【００２０】
任意選択で、本開示の実施形態によって提供されるフレキシブルディスプレイパネルにおいて、複数周の前記バリア壁を含み、少なくとも１周の前記バリア壁は、間隔を置いて配置された複数のサブバリア壁から構成され、前記サブバリア壁間のギャップは、少なくとも１周の前記バリア壁の連続体に対応する。
【００２１】
任意選択で、本開示の実施形態によって提供されるフレキシブルディスプレイパネルにおいて、前記パッケージングフィルムは、交互に積み重ねられる少なくとも１つの有機層および少なくとも１つの無機層を含み、
前記有機層は、前記ディスプレイ領域を覆い、前記無機層は、前記ディスプレイ領域和前記バリア壁を覆う。
【００２２】
任意選択で、本開示の実施形態によって提供されるフレキシブルディスプレイパネルにおいて、前記曲げ領域内の前記無機層部分と前記フレキシブル基板エッジとの間の距離は、前記非曲げ領域内の前記無機層部分と前記フレキシブル基板エッジとの間の距離よりも大きい。
【００２３】
本開示の実施形態はまた、本開示の実施形態によって提供される上記のフレキシブルディスプレイパネルのいずれかを含むディスプレイデバイスを提供する。
【図面の簡単な説明】
【００２４】
【図１ａ】本開示の一実施形態によって提供されるフレキシブルディスプレイパネルの上面構造の概略図である。
【図１ｂ】図１ａに示されるａ−ａ’方向に沿ったフレキシブルディスプレイパネルの概略断面構造図である。
【図２ａ】図１ａに示されるｂ−ｂ’方向に沿ったフレキシブルディスプレイパネルの概略断面構造図である。
【図２ｂ】図１ａに示されるｂ−ｂ’方向に沿ったフレキシブルディスプレイパネルの別の概略断面構造図である。
【図３ａ】本開示の一実施形態によって提供されるフレキシブルディスプレイパネルの曲げの概略図である。
【図３ｂ】本開示の別の実施形態によって提供されるフレキシブルディスプレイパネルの曲げの概略図である。
【図４】本開示の別の実施形態によって提供されるフレキシブルディスプレイパネルの上面構造の概略図である。
【図５ａ】本開示の別の実施形態によって提供されるフレキシブルディスプレイパネルの上面構造の概略図である。
【図５ｂ】本開示の別の実施形態によって提供されるフレキシブルディスプレイパネルの上面構造の概略図である。
【図５ｃ】本開示の別の実施形態によって提供されるフレキシブルディスプレイパネルの上面構造の概略図である。
【図５ｄ】本開示の別の実施形態によって提供されるフレキシブルディスプレイパネルの上面構造の概略図である。
【発明を実施するための形態】
【００２５】
以下に本発明に係る実施形態において図面を結合して本発明の実施形態における技術方案について詳細に、完全に説明するが、次に陳述する実施形態は単に本発明のいくつかの実施形態であり、その全てではない。本分野の一般の技術者にとって、創造性的労働をしなくても、これらの実施形態に基づいてその他の実施形態を容易に獲得することができ、全て本発明の保護範囲に属することは明白である。  
図面中の構成要素の形状およびサイズは、真の比率を反映しておらず、本開示を説明することのみを目的としている。
【００２６】
図１ａおよび１ｂに示されるように、本開示の実施形態によって提供されるフレキシブルディスプレイパネルは、ディスプレイ領域Ａおよびディスプレイ領域を取り囲む非ディスプレイ領域Ｂを有するフレキシブル基板０１を含む。非ディスプレイ領域Ｂは、ディスプレイ領域を取り囲む少なくとも１周のバリア壁０２を含む。ディスプレイ領域Ａは、発光構造０３（図１ａには示されていない）を備えている。フレキシブルディスプレイパネルはまた、発光構造０３およびバリア壁０２を覆うカパッケージングフィルム０４を含む。
【００２７】
フレキシブルディスプレイパネルには、図２ａおよび２ｂに示すように、曲げ領域Ｘ１と非曲げ領域Ｘ２がある。曲げ領域Ｘ１のバリア壁０２の部分の厚さｈ１、および非曲げ領域Ｘ２のバリア壁０２の厚さｈ２が等しくない。
【００２８】
本開示の実施形態によって提供されるフレキシブルディスプレイパネル，曲げ領域におけるバリア壁の厚さおよび非曲げ領域におけるバリア壁の厚さは等しくないように設定されるので、厚さの差は、曲げ領域におけるバリア壁への応力を低減することができる。したがって、パッケージングフィルムに亀裂が入る可能性を減らすことができる。
【００２９】
特定の実施において、図２ａに示されるように、フレキシブルディスプレイパネルが、パッケージングフィルム０４から離れてフレキシブル基板０１の側に向かって曲げられるとき、曲げ領域Ｘ１におけるバリア壁０２の部分の厚さｈ１は、非曲げ領域Ｘ２におけるバリア壁０２の部分の厚さｈ２よりも小さい。
【００３０】
あるいは、特定の実施において、図２ｂに示されるように、フレキシブルディスプレイパネルが、フレキシブル基板０１から離れてパッケージングフィルム０４の側に向かって曲げられるとき、曲げ領域Ｘ１におけるバリア壁０２の部分の厚さｈ１は、非曲げ領域Ｘ２のバリア壁０２部分の厚さｈ２よりも大きい。
【００３１】
特定の実施において、パッケージングフィルムは一般に有機多層と無機多層で構成されているため、水と酸素を遮断するために無機層を使用するが、無機層は比較的脆く伸縮性に劣る。圧縮に耐える能力は、伸ばす能力よりもわずかに優れている。ディスプレイパネルの曲げプロセス中に、外層が伸ばされ、内層が圧迫される。伸ばされたり圧縮されたりしていない遷移層が存在し、遷移層では、応力はほぼゼロに等しくなる。この遷移層は中性層と呼ばれる。
【００３２】
本開示の実施形態によって提供される上記のフレキシブルディスプレイパネルにおいて、ディスプレイパネルがパッケージングフィルムから離れてフレキシブル基板の側に向かって曲げられるとき、パッケージングフィルムは、引き伸ばされた状態にある。曲げ領域のバリア壁の厚さが非曲げ領域のバリア壁の厚さよりも小さいため、曲げ領域のパッケージングフィルムは非曲げ領域よりも中性層に近くなり、曲げ領域のパッケージングフィルムの引張応力が減少し、パッケージングフィルムでの亀裂の生成率が減少する。ディスプレイパネルをフレキシブル基板から離れたパッケージフィルム側に曲げると、パッケージフィルムは圧縮状態になる。曲げ領域のバリア壁の厚さが非曲げ領域のバリア壁の厚さよりも大きいため、曲げ領域のパッケージングフィルムは非曲げ領域よりも中性層に近くなり、曲げ領域のパッケージングフィルムの圧縮応力が減少し、パッケージングフィルムでの亀裂の生成率が減少する。
【００３３】
特定の実施において、フレキシブルディスプレイパネルは、図３ａに示されるように片側で曲げられてもよく、図３ｂに示されるように両側で曲げられてもよく、または４つの側面で曲げられてもよい。もちろん、それはここで限定されない他の方法でも曲げられ得る。曲げ領域Ｘ１は、曲げ軸が通過する領域を指す。
【００３４】
フレキシブルディスプレイパネルの応力は、フレキシブルディスプレイパネルが曲げられるときにフレキシブル基板のエッジに集中するので、任意選択で、図４に示されるように、本開示の実施形態によって提供されるフレキシブルディスプレイパネルにおいて、同じ周のバリア壁０２に対して、曲げ領域Ｘ１のバリア壁０２の部分と、フレキシブル基板０１のエッジとの間の距離は、非曲げ領域Ｘ２のバリア壁０２の部分とフレキシブル基板０１のエッジとの間の距離よりも大きい。すなわち、曲げ領域Ｘ１のバリア壁０２の部分がディスプレイ領域に近いので、曲げ領域Ｘ１のパッケージングフィルムの部分がディスプレイ領域に近く、フレキシブル基板０１のエッジから遠い。これにより、曲げ領域Ｘ１でのパッケージングフィルムへの応力を減らすことができ、パッケージングフィルムの寿命をさらに延ばす。
【００３５】
任意選択で、本開示の実施形態によって提供されるフレキシブルディスプレイパネルにおいて、図４に示されるように、曲げ領域Ｘ１におけるバリア壁０２の部分は、弧状である。
【００３６】
特定の実施において、図５ａから５ｃに示されるように、曲げ領域Ｘ１に位置するバリア壁０２は、もちろん連続的であり得るが、図５ｄに示されるように不連続的であり得るが、これはここに限定されない。
【００３７】
特定の実施において、図５ａおよび５ｄに示すように、非曲げ領域Ｘ２にあるバリア壁０２は連続できる。もちろん、バリア壁０２の外周にある図５ｂおよび図５ｃに示すように、不連続とすることもできる。これは、ここに限定されない。
【００３８】
もちろん、特定の実施において、曲げ領域に配置されたバリア壁と非曲げ領域に配置されたバリア壁は、連続的であり得るか、またはもちろん、ここで限定されないが、互いに切断されてもよい。
【００３９】
任意選択で、本開示の実施形態によって提供されるフレキシブルディスプレイパネルにおいて、図５ａに示されるように、バリア壁０２は２周を有し、バリア壁０２の両方の周は連続的な閉じたリング形状である。
【００４０】
任意選択で、本開示の実施形態によって提供されるフレキシブルディスプレイパネルにおいて、図５ｂから５ｄに示されるように、バリア壁０２は２周を有し、バリア壁０２の少なくとも１周は、間隔を置いて配置された複数のサブバリア壁０２１から構成される。つまり、バリア壁０２の少なくとも１周は不連続である。
【００４１】
任意選択で、本開示の実施形態によって提供されるフレキシブルディスプレイパネルにおいて、図５ｂに示されるように、内周のバリア壁０２は、連続的な閉じたリング形状であり、外周のバリア壁０２は、間隔を置いて配置された複数のサブバリア壁０２１から構成される。
【００４２】
任意選択で、本開示の実施形態によって提供されるフレキシブルディスプレイパネルにおいて、図５ｄに示されるように、曲げ領域Ｘ１における外周のバリア壁０２の部分は、間隔を置いて配置された複数のサブバリア壁０２１から構成される。
【００４３】
任意選択で、本開示の実施形態によって提供されるフレキシブルディスプレイパネルにおいて、図５ｄに示されるように、バリア壁０２の２つの周は両方とも、間隔を置いて配置された複数のサブバリア壁０２１から構成される。
【００４４】
任意選択で、本開示の実施形態によって提供されるフレキシブルディスプレイパネルにおいて、図５ｄに示されるように、曲げ領域Ｘ１におけるバリア壁０２の２つの周の部分は、間隔を置いて配置された複数のサブバリア壁０２１から構成される。
【００４５】
任意選択で、本開示の実施形態によって提供されるフレキシブルディスプレイパネルにおいて、外周のバリア壁は、連続的な閉じたリング形状であり、内周のバリア壁は、間隔を置いて配置された複数のサブバリア壁から構成される。
【００４６】
任意選択で、本開示の実施形態によって提供されるフレキシブルディスプレイパネルにおいて、図５ｄに示されるように、曲げ領域Ｘ１におけるバリア壁０２の内周は、間隔を置いて配置された複数のサブバリア壁０２１から構成される。
【００４７】
任意選択で、本開示の実施形態によって提供されるフレキシブルディスプレイパネルにおいて、バリア壁の厚さは、本明細書に限定されない、０．５μｍ、１．０μｍ、１．５μｍ、２．０μｍなどのように、０．５μｍ〜２μｍの間に制御される。
【００４８】
任意選択で、本開示の実施形態によって提供されるフレキシブルディスプレイパネルにおいて、バリア壁の幅は、１０μｍ、２０μｍ、３０μｍ、５５μｍ、７０μｍ、８５μｍ、９０μｍなどの１０μｍ〜９０μｍの間に制御されるが、これらは本明細書に限定されない。
【００４９】
任意選択で、本開示の実施形態によって提供されるフレキシブルディスプレイパネルにおいて、ディスプレイ領域のエッジへのバリア壁の投影は連続的である。図１ａおよび図４に示すように、バリア壁０２の周が１つだけ提供される場合、バリア壁０２の周は、ディスプレイ領域の周囲がバリア壁０２によって保護されることを確実にするために、連続的な閉じたリングである。
【００５０】
任意選択で、本開示の実施形態によって提供されるフレキシブルディスプレイパネルにおいて、少なくとも２周のバリア壁が提供される場合、図５ａに示されるように、ディスプレイ領域の周りの１つの周がバリア壁０２によって保護されることを確実にするために、２周のバリア壁０２はすべて連続した閉リング形状であり得るか、または図５ｂから５ｄに示されるように、バリア壁０２１の少なくとも１つの周は、間隔を置いて配置された複数のサブバリア壁０２１から構成され、サブバリア壁０２１間のギャップは少なくとも１周バリア壁２１の連続体に対応する。すなわち、少なくとも１周のバリア壁０２の連続体は、サブバリア壁０２１間のギャップに対応する。言い換えれば、サブグループバリア壁０２１間のギャップに別のバリア壁０２が存在する。
【００５１】
任意選択で、本開示の実施形態によって提供されるフレキシブルディスプレイパネルにおいて、パッケージングフィルムは、交互に積み重ねられる少なくとも１つの有機層および少なくとも１つの無機層を含む。
【００５２】
有機層がディスプレイ領域を覆い、無機層がディスプレイ領域とバリア壁を覆う。
【００５３】
図１ｂに示すように、パッケージングフィルム０４は、第１の無機層０４１、有機層０４２、および第２の無機層０４３を含む。有機層０４２はディスプレイ領域を覆い、第１の無機層０４１および第２の無機層０４３はディスプレイ領域およびバリア壁０２を覆う。
【００５４】
特定の実施では、最初の無機層は水と酸素のバリア特性を備えており、フレキシブルディスプレイパネルからの水蒸気と酸素を遮断して、発光構造の寿命を確保することができる。第１の無機層は、窒化ケイ素、酸化ケイ素、酸窒化ケイ素、酸化アルミニウム、酸化チタンなどであり得るが、これに限定されない。
【００５５】
具体的には、第１の無機層は、プラズマ増強化学蒸気沈着（Ｐｌａｓｍａ  Ｅｎｈａｎｃｅｄ  Ｃｈｅｍｉｃａｌ  Ｖａｐｏｒ  Ｄｅｐｏｓｉｔｉｏｎ，ＰＥ  ＣＶＤ）、スパッタリング、原子蒸気沈着、真空蒸発、フラッシュ蒸発、または移動法などによって堆積することができる。調製方法はここに限定されない。
【００５６】
特定の実施において、第１の無機層の厚さは、１０００オングストロームから１０００オングストロームとの間で制御され、屈折率は、１．５から２．５の間で制御される。ここで限定されない。
【００５７】
特定の実施において、第１の無機層のコーティング範囲は、少なくともすべてのディスプレイ領域を含むべきであり、第１の無機層のエッジからディスプレイ領域のエッジまでの距離は、０．３ｍｍから２ｍｍの間である。
【００５８】
特定の実施において、有機層は、平坦化および応力を解放する機能を有する。有機層は、ピクセル定義層によって形成される高さの違いを排除することができる。つまり、平坦化を実現できる。さらに、２つの無機層の間に有機層を追加すると、無機層間の応力を取り除くのに役立つ。
【００５９】
本開示の実施形態によって提供されるフレキシブルディスプレイパネルにおいて、有機層は、本明細書に限定されない、インクジェット印刷、スクリーン印刷、スリットコーティングなどによって形成することができる。有機層の厚さは、ここで限定されない２μｍ、１０μｍ、１５μｍ、２０μｍなどのように、２μｍから２０μｍの間で制御することができる。
【００６０】
さらに、有機層の材料は、シリカゲル、アクリル、ポリウレタンなどであり得るが、これらに限定されない。
【００６１】
特定の実施では、第２の無機層の例は、第１の無機層の実装を参照できるが、ここでは繰り返さない。
【００６２】
フレキシブルディスプレイパネルが曲げられるとき、フレキシブルディスプレイパネルの応力はフレキシブル基板のエッジに集中するので、任意選択で、本開示の実施形態によって提供されるフレキシブルディスプレイパネルにおいて、曲げ領域における無機層の部分とフレキシブル基板のエッジとの間の距離は、非曲げ領域における無機層の部分とフレキシブル基板のエッジとの間の距離よりも大きい。その結果、曲げ領域の無機層の部分がディスプレイ領域に近くなり、曲げ領域の無機層への応力が低減され、パッケージングフィルムの寿命がさらに向上する。
【００６３】
特定の実施において、本開示の実施形態によって提供されるフレキシブルディスプレイパネルにおいて、フレキシブル基板は、フレキシブルを有する任意の適切な絶縁材料から形成され得る。例えば、基板は、ポリプロピレン（ＰＩ）、ポリカーボネート（ＰＣ）、ポリエーテルスルホン（ＰＥＳ）、ポリエチレンテレフタレート（ＰＥＴ）、ポリエチレンナフタレート（  ＰＥＮ）、ポリアリレート（ＰＡＲ）またはガラス繊維強化プラスチック（ＦＲＰ）およびその他のポリマー材料が形成される。
【００６４】
特定の実施において、ピクセル回路は、一般に、フレキシブル基板上に提供され、ピクセル回路は、一般に、複数の薄膜トランジスタを含む。
【００６５】
発光構造は、一般に有機エレクトロルミネセンス構造であり、有機エレクトロルミネセンス構造は、一般に、アノード層、発光層、およびカソード層が積み重ねられて含まれ、正孔注入層および正孔輸送層は、一般に、アノード層と発光層との間に提供される。カソードおよび発光層は、一般に、電子注入層および電子輸送層を備えている。
【００６６】
本開示の実施形態によって提供されるフレキシブルディスプレイパネルは、一般に、薄膜トランジスタ、バリア壁、発光構造、およびパッケージングフィルムを順次調製することによって、フレキシブル基板上に製造される。
【００６７】
バリア壁は、露光と現像によるフォトレジストによって形成することができる、または無機フィルム層のエッチングによって形成することができる。バリア壁を追加することによって、パッケージングフィルムの無機層の下面の接着接触面積を増やすことができる、これはフレキシブル基板のエッジにおけるパッケージングフィルムの接着を増やし、パッケージングフィルムの接着によりパッケージング効果が向上することができる。バリア壁を追加することにより、無機層からフレキシブル基板までのエッジとの水平直線距離を短くすることができ、パネルの枠幅を小さくすることができる。
【００６８】
同じ開示された概念に基づいて、本開示の実施形態はまた、本開示の実施形態によって提供される上記のフレキシブルディスプレイパネルのいずれかを含むディスプレイ装置を提供する。当該ディスプレイ装置は、携帯電話、タブレットコンピュータ、テレビ、モニター、ノートブックコンピュータ、デジタルフォトフレーム、ナビゲーターなど、表示機能を備えた任意の製品またはコンポーネントであることができる。ディスプレイ装置の実施は、上記のフレキシブルディスプレイパネルの実施形態を参照することができ、ここで繰り返されない。
【００６９】
本開示の実施形態によって提供される上記フレキシブルディスプレイパネルおよびディスプレイ装置，ディスプレイパネルがパッケージングフィルムから離れてフレキシブル基板の側に向かって曲げられるとき、パッケージングフィルムは、引き伸ばされた状態にある。曲げ領域のバリア壁の部分の厚さが非曲げ領域のバリア壁の部分の厚さよりも薄いので、曲げ領域のパッケージングフィルムは非曲げ領域よりも中性層に近くなり、曲げ領域のパッケージングフィルムの引張応力が減少し、パッケージングフィルムでの亀裂の生成率が減少する。ディスプレイパネルをフレキシブル基板から離れたパッケージフィルム側に曲げると、パッケージフィルムは圧縮状態になる。曲げ領域のバリア壁の部分の厚さが非曲げ領域のバリア壁の部分の厚さよりも薄いので、曲げ領域のパッケージングフィルムは非曲げ領域よりも中性層に近くなり、曲げ領域のパッケージングフィルムの圧縮応力が減少し、パッケージングフィルムでの亀裂の生成率が減少する。
【００７０】
明らかに、当技術分野の当業者は、本開示の精神および範囲から逸脱することなく、本開示に様々な変更および修正を加えることができる。このように、本開示のこれらの修正および変形が本開示および同等の技術の特許請求の範囲内にある場合、本開示はまた、これらの修正および変形を含むことを意図する。
【図１ａ】
2021532529.tif 000003
【図１ｂ】
2021532529.tif 000004
【図２ａ】
2021532529.tif 000005
【図２ｂ】
2021532529.tif 000006
【図３ａ】
2021532529.tif 000007
【図３ｂ】
2021532529.tif 000008
【図４】
2021532529.tif 000009
【図５ａ】
2021532529.tif 000010
【図５ｂ】
2021532529.tif 000011
【図５ｃ】
2021532529.tif 000012
【図５ｄ】
2021532529.tif 000013
【国際調査報告】
2021532529.tif 000014
2021532529.tif 000015
2021532529.tif 000016
2021532529.tif 000017